(57)【要約】  シームレスシフトを達成可能な自動変速機（３）において、入力側の第１シャフト（３０１）を駆動可能なモータ（７）と、前記第１シャフト（３０１）とモータ（７）との間を断接可能なワンウェイクラッチ（７１）と、を備えた。これにより、ドグクラッチ（ＤＧ１）または（ＤＣ２）の噛合いを同期させるためのモータ（７）のイナーシャトルクに起因したシフトアップ時のショックを回避したシームレスシフトを達成することができる。
2016152286.tif 000002
【特許請求の範囲】
【請求項１】
入力側の第１シャフトに固定または相対回転可能に支持された第１低速ギヤ及び第１高速ギヤと、
出力側の第２シャフトに固定または相対回転可能に支持され前記第１低速ギヤと常時噛み合う第２低速ギヤ及び第１高速ギヤと常時噛み合う第２高速ギヤと、
軸方向噛合い側への移動により、前記第１低速ギヤもしくは第２低速ギヤのいずれかである低速側相対回転体のドグと噛合う低速クラッチリングドグを有し、前記低速側相対回転体のドグから前記低速クラッチリングドグにトルクが作用すると軸方向噛合い解除側に移動する低速側ガイド部を有する低速クラッチリングと、
軸方向噛合い側への移動により、前記第１高速ギヤもしくは第２高速ギヤのいずれかである高速側相対回転体のドグと噛合う高速クラッチリングドグを有し、前記高速側相対回転体のドグから前記高速クラッチリングドグにトルクが作用すると軸方向噛合い解除側に移動する高速側ガイド部を有する高速クラッチリングと、
軸方向噛合い側への移動により前記低速クラッチリング及び前記高速クラッチリングを軸方向噛合い方向に移動可能であって軸方向噛合い解除側への移動を許容するシフトアクチュエータと、
前記第１シャフトを駆動可能なモータと、
前記第１シャフトと前記モータとの間を断接可能な締結手段と、
を備えている自動変速機。
【請求項２】
請求項１に記載の自動変速機において、
前記締結手段は、前記モータの正回転時に解放し、逆回転時に締結するワンウェイクラッチである自動変速機。
【請求項３】
請求項１または２に記載の自動変速機において、
前記第１シャフトの回転が停止した後、前記モータを駆動し、前記第１シャフトを逆回転駆動しながらシフトする変速制御手段を設けてある自動変速機。
【発明の詳細な説明】
【技術分野】
【０００１】
本発明は、トルク伝達が途切れることなく変速可能な自動変速機に関する。
【背景技術】
【０００２】
特許文献１には、平行２軸型常時噛み合い変速機において、ドグクラッチをスムーズに噛み合わせるために、それぞれの軸を回転可能なモータを備え、モータ駆動によりドグクラッチの同期を行うことで、ドグの噛合い不良を招くことなくスムーズな噛合いを達成したものが開示されている。【０００３】
一方、特開２０１２−１２７４７１号公報には、平行２軸型常時噛み合い変速機において、トルク伝達が途切れることなく変速可能（以下、シームレスシフトと記載する。）な自動変速機が開示されている。例えば１速で走行中に２速へのアップシフトを行うにあたり、２速ギヤと噛み合う２速用クラッチリングを噛み合わせると、１速ギヤにコースティングトルクが作用する。このコースティングトルクを利用して１速用クラッチリングに噛合い解除方向への軸力を発生させ、２速へのシームレスシフトを達成する。【０００４】
このようなシームレスシフトを達成可能な自動変速機に、特許文献１に示す技術を適用し、モータ駆動によるドグクラッチの同期を図ることで、特に車両停止時であってもスムーズなシフトを行うことが期待される。しかしながら、走行状態におけるシームレスシフトは変速時間が極めて短いため、走行状態でのシフト時における変速機の入力軸の回転数変化が大きく、モータ等を別途備えた場合には、モータの回転数も同様に変化するため、モータのイナーシャによるトルクが発生し、このイナーシャトルクが変速機の入力軸に伝達されることによってシフトアップ時のショックが発生するという問題があった。
【先行技術文献】
【特許文献】
【０００５】
【特許文献１】特開２００９−１５６３３９公報
【発明の概要】
【０００６】
本発明の目的は、シフトアップ時のモータのイナーシャトルクに起因したショックを回避してシームレスシフトが可能な自動変速機を提供することにある。
【０００７】
上記目的を達成するため、本発明の自動変速機では、入力側の第１シャフトに固定または相対回転可能に支持された第１低速ギヤ及び第１高速ギヤと、出力側の第２シャフトに固定または相対回転可能に支持され前記第１低速ギヤと常時噛み合う第２低速ギヤ及び第１高速ギヤと常時噛み合う第２高速ギヤと、軸方向噛合い側への移動により、前記第１低速ギヤもしくは第２低速ギヤのいずれかである低速側相対回転体のドグと噛合う低速クラッチリングドグを有し、前記低速側相対回転体のドグから前記低速クラッチリングドグにトルクが作用すると軸方向噛合い解除側に移動する低速側ガイド部を有する低速クラッチリングと、軸方向噛合い側への移動により、前記第１高速ギヤもしくは第２高速ギヤのいずれかである高速側相対回転体のドグと噛合う高速クラッチリングドグを有し、前記高速側相対回転体のドグから前記高速クラッチリングドグにトルクが作用すると軸方向噛合い解除側に移動する高速側ガイド部を有する高速クラッチリングと、軸方向噛合い側への移動により前記低速クラッチリング及び前記高速クラッチリングを軸方向噛合い方向に移動可能であって軸方向噛合い解除側への移動を許容するシフトアクチュエータと、前記第１シャフトを駆動可能なモータと、前記第１シャフトと前記モータとの間を断接可能な締結手段と、を備えた。
【０００８】
よって、車両停止時には、モータで入力側の第１シャフトを回転駆動させてドグの噛合い位置の同期を図ることでシフトを可能としつつ、必要に応じてモータと入力側の第１シャフトとの動力伝達関係を遮断することが可能となり、モータのイナーシャを適宜排除することで、シフトアップ時のモータのイナーシャトルクに起因したショックを回避したシームレスシフトを達成できる。
【図面の簡単な説明】
【０００９】
【図１】実施例１の自動変速機を表す概略システム図である。
【図２】図２は実施例１の自動変速機における１速から２速へのアップシフトにおける第１ドグクラッチ機構の作用を表す概略図である。
【図３】実施例１の自動変速機において１速から２速へのアップシフトを表すタイムチャートである。
【図４】実施例１のダウンシフト時のモータ駆動制御処理を表すフローチャートである。
【図５】実施例１の自動変速機において４速から急減速に伴う１速へのダウンシフトを表すタイムチャートである。
【発明を実施するための形態】
【００１０】
［実施例１］
図１は実施例１の自動変速機を表す概略システム図である。エンジン１のエンジン出力軸１ａには、クラッチ２を介して自動変速機３が接続されている。自動変速機３は、クラッチ２の自動変速機側に接続された入力側の第１シャフト３０１と、第１シャフト３０１と平行に配置された出力側の第２シャフト３０２とを有する。第１シャフト３０１上には、第１シャフト３０１と一体に回転する１速ドライブギヤ３１１（第１低速ギヤに相当）と、３速ドライブギヤ３３１と、第１シャフト３０１に対して相対回転可能に支持された２速ドライブギヤ３２１（第１高速ギヤに相当）と、４速ドライブギヤ３４１と、を有する。第２シャフト３０２上には、第２シャフト３０２に対して相対回転可能に支持された１速ドリブンギヤ３１２（第２低速ギヤに相当）と、３速ドリブンギヤ３３２と、第２シャフト３０２と一体回転する２速ドリブンギヤ３２２（第２高速ギヤに相当）と、４速ドリブンギヤ３４２と、を有する。各ドリブンギヤは、各ドライブギヤと常時噛み合っている。
【００１１】
また、第１シャフト３０１には、ギヤ７２及びギヤ３３１を介してモータ７が接続されている。ギヤ７２とモータ７との間には、ワンウェイクラッチ７１を有する。このワンウェイクラッチ７１は、第１シャフト３０１の正回転駆動時に締結し、第１シャフト３０１からモータ７側へトルクを伝達する。また、モータ７の正回転駆動時に解放し、モータ７から第１シャフト３０１側へのトルク伝達を遮断する。言い換えると、モータ７を逆回転で駆動した場合には、ワンウェイクラッチ７１が締結し、第１シャフト３０１を逆回転駆動する。一方、第１シャフト３０１が正回転であってもモータ７にドライビングトルクを付与できない状態（モータ７の回転数より低い状態）では、第１シャフト３０１とモータ７とが切り離される。よって、第１シャフト３０１の正回転ドライビングトルク発生時は、常時モータ７にトルク伝達が行われるため、通常時には、モータ７をオルタネータ（発電機）として機能させ、必要に応じて逆回転駆動する電動機として機能させる。詳細については後述する。
【００１２】
変速機コントローラ３ａは、図外の各種センサやシフト信号に基づいて所望の変速段を決定し、シフトアクチュエータ３０にシフトアクチュエータ駆動信号を出力する。シフトアクチュエータ３０は、第１シフトフォーク３１及び第２シフトフォーク３２を軸方向に移動可能に構成されている。このシフトアクチュエータ３０は、外周に各シフトフォークと係合する溝を有するシフトドラムをモータで位置制御する。第１シフトフォーク３１及び第２シフトフォーク３２には、軸方向の所定位置に付勢可能な位置決め機構３１ｂ及び３２ｂを有する。この位置決め機構３１ｂ及び３２ｂは、各シフトフォークがシフトアクチュエータ３０により位置決めされた後、後述するトルク作用方向に伴うドグの噛合い位置の変化に応じて軸方向への若干の移動を許容すると共に、複数の位置において各シフトフォークに所定の軸方向位置の保持力を付与する。詳細については後述する。
【００１３】
１速ドリブンギヤ３１２と３速ドリブンギヤ３３２とは隣接して配置されている。２速ドライブギヤ３２１と４速ドライブギヤ３４１とは隣接して配置されている。第１ドリブンギヤ３１２の第３ドリブンギヤ３３２と対向する側面には、軸方向に延在された第１ドグ３１２ａを有する。同様に、第３ドリブンギヤ３３２の第１ドリブンギヤ３１２と対向する側面には第３ドグ３３２ａを有する。第２ドライブギヤ３２１の第４ドライブギヤ３４１と対向する側面には、軸方向に延在された第２ドグ３２１ａを有する。同様に、第４ドライブギヤ３４１の第２ドライブギヤ３２１と対向する側面には第４ドグ３４１ａを有する。
【００１４】
１速ドリブンギヤ３１２と３速ドリブンギヤ３３２との間、及び２速ドライブギヤ３２１と４速ドライブギヤ３４１との間には、第１及び第２ドグクラッチ機構ＤＧ１，ＤＧ２を有する。第１ドグクラッチ機構ＤＧ１は、第２シャフト３０２上に固定設置された第１クラッチリングカム４００と、第１クラッチリングカム４００の外周に設置され、第１シフトフォーク３１に対して相対回転可能に噛み合う第１クラッチリング３３を有する。第１クラッチリングカム４００の外周には、外周面に形成されたＶ字溝４０１を有する。このＶ字溝４０１は、第１シャフト３０１の正回転方向側に向かって傾斜する１速側傾斜溝４０１ａと、３速側傾斜溝４０１ｃとを有する。
【００１５】
また、第１クラッチリング３３の１速ドリブンギヤ３１２側に向かい合う端部には、１速側傾斜溝４０１ａと接続され、軸方向に平行な保持溝４０１ｂを有する。同様に、第１クラッチリング３３の３速ドリブンギヤ３３２側に向かい合う端部には、３速側傾斜溝４０１ｃと接続され、軸方向に平行な保持溝４０１ｄを有する。尚、第２ドグクラッチ機構ＤＧ２にも、第１ドグクラッチ機構ＤＧ１と同様の、第２クラッチリング３４、第２クラッチリングカム５００、Ｖ字溝５０１、２速側傾斜溝５０１ａ、４速側傾斜溝５０１ｃ、保持溝５０１ｂ，５０１ｄを有する。構成は第１ドグクラッチ機構ＤＧ１と同じであるため説明を省略する。
【００１６】
第１クラッチリング３３は、第１クラッチリングカム４００の外周と相対移動可能な円筒状部材３３ｅと、円筒状部材３３ｅの軸方向中央から外径側に向かって拡径された第１スリーブ３３ａを有する。第１スリーブ３３ａは、シフトフォーク３１に相対回転可能に保持されつつシフトフォーク３１との間で軸力を相互に付与可能な円盤状部材である。第１クラッチリング３３は、第１スリーブ３３ａから１速ドリブンギヤ３１２と対向する側面の軸方向に延在された１速用第１クラッチリングドグ３３ｃと、３速ドリブンギヤ３３２と対向する側面の軸方向に延在された３速用第１クラッチリングドグ３３ｄと、円筒状部材３３ｅの内周側に突出し、第１クラッチリングカム４００のＶ字溝４０１内にガイドされるガイド用第１突起３３ｂと、を有する。
【００１７】
同様に、第２クラッチリング３４は、第２クラッチリングカム５００の外周と相対移動可能な円筒状部材３４ｅと、円筒状部材３４ｅの軸方向中央から外径側に向かって拡径された第２スリーブ３４ａを有する。第２スリーブ３４ａは、シフトフォーク３２に相対回転可能に保持されつつシフトフォーク３２と軸力を相互に付与可能な円盤状部材である。第２クラッチリング３４は、第２スリーブ３４ａから２速ドライブギヤ３２１と対向する側面の軸方向に延在された２速用第２クラッチリングドグ３４ｃと、４速ギヤ３４１と対向する側面の軸方向に延在された４速用第２クラッチリングドグ３４ｄと、円筒状部材３４ｅの内周側に突出し、第２クラッチリングカム５００のＶ字溝５０１内にガイドされるガイド用第２突起３４ｂと、を有する。
【００１８】
次に、アップシフト作用を簡単に説明する。具体例として、１速走行状態で２速へのアップシフトを行う場合を説明する。図２は実施例１の自動変速機における１速から２速へのアップシフトにおける第１ドグクラッチ機構の作用を表す概略図である。１速では、第１シフトフォーク３１が図１中の左側に移動した状態である。図２（ａ）に示すように、第１クラッチリング３３は、１速ドリブンギヤ３１２にトルクが作用する前の状態では、ガイド用第１突起３３ｂが保持溝４０１ｂに位置し、コースティングトルクが作用しても軸方向に移動することはない。
【００１９】
図２（ｂ）に示すように、第１クラッチリング３３の１速用第１クラッチリングドグ３３ｃの歯面であってドライビングトルク作用時に１速ドリブンギヤ３１２の第１ドグ３１２ａと係合する位置には、傾斜面３３ｃ１が形成されている。１速ドライブギヤ３１１から１速ドリブンギヤ３１２へドライビングトルクが作用すると、この傾斜面３３ｃ１に沿って第１クラッチリング３３が噛み合い解除側に向けてリフトする。これにより、ガイド用第１突起３３ｂは保持溝４０１ｂから１速側傾斜溝４０１ａの位置に移動する。ただし、１速ドリブンギヤ３１２の第１ドグ３１２ａと１速用クラッチリングドグ３３ｃとの噛み合いは継続しており、トルク伝達状態である。尚、この動作を行うにあたって、前述した位置決め機構３１ｂが作動する。すなわち、リフトに伴い第１シフトフォーク３１が軸方向に僅かに移動することを許容しつつ、リフト後の第１クラッチリング３３の軸方向位置を安定的に保持している。
【００２０】
次に、第２シフトフォーク３２が図１中の左側に移動し、２速用第２クラッチリングドグ３４ｃと第２ドグ３２１ａとが係合を開始すると、インターロック状態となり、１速用クラッチリングドグ３３ｃと第１ドグ３１２ａとの間にコースティングトルクが作用する。すると、図２（ｃ）に示すように、ガイド用第１突起３３ｂが１速側傾斜溝４０１ａに沿って移動するため、第１クラッチリング３３は噛合い解除側に移動し、１速ドリブンギヤ３１２の第１ドグ３１２ａと１速用クラッチリングドグ３３ｃとの噛合いが完全に解除される。このインターロック状態に伴うコースティングトルクによって軸方向に発生する力は、位置決め機構３１ｂの保持力よりも十分に大きいため、第１シフトフォーク３１の移動は速やかに行われる。
【００２１】
すなわち、１速時に２速ドライブギヤ３２１と２速用第２クラッチリングドグ３４ｃとを係合し、この係合に伴って生じるインターロック状態に伴うコースティングトルクを利用して１速ドリブンギヤ３１２と第１クラッチリング３３との噛合いを解除する。よって、アップシフト時に常にトルク伝達状態を維持することができる。このようなシフト動作をシームレスシフトと言う。尚、ダウンシフトについても同様の作用によって行われるものであり、詳細な変速動作については、例えば特開２０１２−１２７４７１号公報等を参照されたい。
【００２２】
（アップシフト時におけるワンウェイクラッチの作用）
次に、シフト時におけるワンウェイクラッチ７１について説明する。図３は実施例１の自動変速機において１速から２速へのアップシフトを表すタイムチャートである。実施例１の自動変速機では、上述したようにシームレスシフトを行う場合、シフト後変速段におけるドライブギヤとクラッチリングとの噛合いが成立すれば、直ちにシフトする。１速で第１シャフト３０１が例えば１０００ｒｐｍで回転していたと仮定し、２速ドライブギヤ３２１の第２ドグ３２１ａは、１速と２速のギヤ比の関係から例えば５００ｒｐｍで回転していると仮定する。
【００２３】
時刻ｔ１において、クラッチ２をスリップ制御し、シフトアクチュエータ３０を作動させて第２シフトフォーク３２の軸方向移動を行い、第２ドグ３２１ａと噛合うと、２速用第２クラッチリングドグ３４ｃの回転数は５００ｒｐｍに一気に減速される。そして、１速ドライブギヤ３１１の回転数は５００ｒｐｍに減速されるため、１速用第１クラッチリングドグ３３ｃとの間にコースティングトルクが発生し、このコースティングトルクによって１速用第１クラッチリングドグ３３ｃは噛合い解除方向に移動し、シームレスシフトが完了する。
【００２４】
ここで、仮にモータ７が常時第１シャフト３０１と一体に回転していると、第１シャフト３０１が一気に減速される際に、モータ７の回転数も一気に減速させる必要がある。その際、モータイナーシャ分の影響が極めて大きく、シフトアップ時にはモータ７のイナーシャトルクに起因したショックが発生するという問題がある。しかしながら、ワンウェイクラッチ７１が設けられているため、第１シャフト３０１にコースティングトルクが作用しているときには、自動的にワンウェイクラッチ７１が解放され、シフト時にモータ７のイナーシャが影響を与えることがない。つまり、モータ７のイナーシャトルクの発生を防止できるため、時刻ｔ１直後にイナーシャトルクによって発生する出力トルクの変化量を小さく抑えることができる。そして、時刻ｔ２において、モータ回転数が低下し、第１シャフト３０１の回転数と一致すると、ワンウェイクラッチ７１が締結し、モータ７がオルタネータとして機能する。
【００２５】
（車両停止後ダウンシフト時におけるワンウェイクラッチの作用）
次に、急減速による車両停止時のダウンシフトについて説明する。図４は実施例１のダウンシフト時のモータ駆動制御処理を表すフローチャートである。実施例１の自動変速機は、ドグの噛合いを行うには、回転中に同期させる必要がある。そこで、実施例１では、変速機コントローラ３ａによるダウンシフト時、車両停止後にあってはモータ７を逆回転することでダウンシフトを行うこととした。
【００２６】
ステップＳ１では、ダウンシフトが完了したか否かを判断し、ダウンシフトが完了しているときはステップＳ４に進み、完了していないときはステップＳ２に進む。
ステップＳ２では、モータ回転数が０か否か、すなわち車両停止後、モータ回転数が十分に低下したか否かを判断し、モータ回転数が０のときはステップＳ３に進み、それ以外のときは本制御フローを終了する。
ステップＳ３では、モータ７を逆回転駆動する。これにより、ワンウェイクラッチ７１を締結させ、第１シャフト３０１を回転させることができるため、車両停止後もダウンシフトを継続できる。
ステップＳ４では、モータ７が逆回転駆動中か否かを判断し、逆回転中であればステップＳ５に進んでモータ駆動を停止し、それ以外のときは本制御フローを終了する。
【００２７】
図５は実施例１の自動変速機において４速から急減速に伴う１速へのダウンシフトを表すタイムチャートである。
時刻ｔ１１において、４速での走行状態から運転者がブレーキペダルを踏み込み、減速を開始すると、自動変速機内部にコースティングトルクが作用するため、エンジン１の駆動トルクにより発電機として機能しているモータ７と第１シャフト３０１との間のワンウェイクラッチ７１は、解放状態となる。よって、モータ７の回転数はイナーシャに応じて徐々に低下する。
【００２８】
時刻ｔ１２において、４速から３速へのダウンシフトを行う際、クラッチ２を解放する。尚、クラッチ２は連続シフトを行う場合や、減速して車両停止となる場合には、解放状態を継続する。
時刻ｔ１３において、車両が停止すると、第１シャフト３０１の回転も停止するため、第１シャフト３０１の回転を利用したダウンシフトが行えなくなる。このとき、モータ７はイナーシャの影響により若干回転数を有する。
【００２９】
時刻ｔ１４において、モータ７の回転が停止すると、そのままモータ７を逆回転で駆動する。この逆回転駆動によりワンウェイクラッチ７１が締結し、第１シャフト３０１が逆回転する。この第１シャフト３０１の回転を利用してドグの同期を行い、車両停止時の目標変速段である１速に向けて、３速から２速，１速へと順次ダウンシフトする。
時刻ｔ１５において、１速へのダウンシフトが完了すると、モータ７の逆回転方向トルクを減少させる。このとき、ワンウェイクラッチ７１は自動的に解放される。
【００３０】
以上説明したように、実施例１にあっては下記に列挙する作用効果が得られる。
（１）入力側の第１シャフト３０１に固定（または相対回転可能に）支持された１速ドライブギヤ３１１（第１低速ギヤ）及び２速ドライブギヤ３２１（第１高速ギヤ）と、
出力側の第２シャフト３０２に（固定または）相対回転可能に支持され１速ドライブギヤ３１１と常時噛み合う１速ドリブンギヤ３１２（第２低速ギヤ）及び２速ドライブギヤ３２１と常時噛み合う２速ドリブンギヤ３２２（第２高速ギヤ）と、
軸方向噛合い側への移動により、第１ドグ３１２ａ（前記第１低速ギヤもしくは第２低速ギヤのいずれかである低速側相対回転体のドグ）と噛合う１速用第１クラッチリングドグ３３ｃ（低速クラッチリングドグ）を有し、第１ドグ３１２ａから１速用第１クラッチリングドグ３３ｃにトルクが作用すると軸方向噛合い解除側に移動する第１クラッチリングカム４００のＶ字溝４０１及びガイド用第１突起３３ｂ（低速側ガイド部）を有する第１クラッチリング３３（低速クラッチリング）と、
軸方向噛合い側への移動により、第２ドグ３２１ａ（前記第１高速ギヤもしくは第２高速ギヤのいずれかである高速側相対回転体のドグ）と噛合う２速用第２クラッチリングドグ３４ｃ（高速クラッチリングドグ）を有し、第２ドグ３２１ａから２速用第２クラッチリングドグ３４ｃにトルクが作用すると軸方向噛合い解除側に移動する第２クラッチリングカム５００のＶ字溝５０１及びガイド用第２突起３４ｂ（高速側ガイド部）を有する第２クラッチリング３４（高速クラッチリング）と、
軸方向噛合い側への移動により第１クラッチリング３３及び第２クラッチリング３４を軸方向噛合い方向に移動可能であって軸方向噛合い解除側への移動を許容する第１シフトフォーク３１，第２シフトフォーク３２及びシフトアクチュエータ３０と、
第１シャフト３０１を回転駆動可能なモータ７と、
第１シャフト３０１とモータ７との間を断接可能なワンウェイクラッチ７１（締結手段）と、
を備えた。
よって、車両停止時におけるシフトを可能としつつ、必要に応じてモータ７と第１シャフト３０１との動力伝達関係を得ることが可能となり、モータ７のイナーシャを適宜排除することで、シフトアップ時におけるモータ７のイナーシャトルクの発生を回避したシームレスシフトを達成できる。
【００３１】
（２）ワンウェイクラッチ７１は、モータ７の正回転時に解放し、逆回転時に締結する。
シームレスシフトの際、モータ７の回転数も一気に減速させる必要があり、モータイナーシャ分の影響が極めて大きく、変速機内部における過剰負荷が発生するという問題がある。しかしながら、ワンウェイクラッチ７１が設けられているため、第１シャフト３０１にコースティングトルクが作用しているときには、自動的にワンウェイクラッチ７１が解放され、シフト時にモータ７のイナーシャが影響を与えることがない。
【００３２】
（３）変速機コントローラ３ａ（変速制御手段）は、第１シャフト３０１の回転が停止した後、モータ７を駆動し、第１シャフト３０１を逆回転駆動しながらシフトする。
よって、車両停止後であっても、ダウンシフトを継続することができる。
【００３３】
（他の実施例）
以上、実施例１に基づいて説明したが、上記実施例に限らず、他の構成を備えた自動変速機に本発明を適用してもよい。例えば、実施例１では、第２シャフト３０２に相対回転体であるドリブンギヤを配置し、これらドリブンギヤを第２シャフト３０２に選択的に固定可能なドグクラッチ機構を設けた例を示したが、第２シャフト３０２に限らず、第１シャフト３０１に設けてもよいし、それぞれ組み合わせて第１シャフト３０１と第２シャフト３０２の両方に設定してもよい。
また、前進４速に限らず、前進２速や、更なる多段化した自動変速機にも適用できる。
実施例１では、モータ７と第１シャフト３０１との間を、ワンウェイクラッチ７１を介して接続する例を示した。これに対し、ワンウェイクラッチ７１に限らず、係止方向を切り換え可能なツーウェイクラッチを採用してもよいし、締結・解放を切り換え可能なクラッチを適用し、状況に応じて締結制御を行ってもよい。
【図１】
2016152286.tif 000003
【図２】
2016152286.tif 000004
【図３】
2016152286.tif 000005
【図４】
2016152286.tif 000006
【図５】
2016152286.tif 000007
【手続補正書】
【提出日】平成29年3月21日(2017.3.21)
【手続補正１】
【補正対象書類名】特許請求の範囲
【補正対象項目名】全文
【補正方法】変更
【補正の内容】
【特許請求の範囲】
【請求項１】
入力側の第１シャフトに固定または相対回転可能に支持された第１低速ギヤ及び第１高速ギヤと、
出力側の第２シャフトに固定または相対回転可能に支持され前記第１低速ギヤと常時噛み合う第２低速ギヤ及び第１高速ギヤと常時噛み合う第２高速ギヤと、
軸方向噛合い側への移動により、前記第１低速ギヤもしくは第２低速ギヤのいずれかである低速側相対回転体のドグと噛合う低速クラッチリングドグを有し、前記低速側相対回転体のドグから前記低速クラッチリングドグにトルクが作用すると軸方向噛合い解除側に移動する低速側ガイド部を有する低速クラッチリングと、
軸方向噛合い側への移動により、前記第１高速ギヤもしくは第２高速ギヤのいずれかである高速側相対回転体のドグと噛合う高速クラッチリングドグを有し、前記高速側相対回転体のドグから前記高速クラッチリングドグにトルクが作用すると軸方向噛合い解除側に移動する高速側ガイド部を有する高速クラッチリングと、
軸方向噛合い側への移動により前記低速クラッチリング及び前記高速クラッチリングを軸方向噛合い方向に移動可能であって軸方向噛合い解除側への移動を許容するシフトアクチュエータと、
前記第１シャフトを駆動可能なモータと、
前記第１シャフトと前記モータとの間を断接可能であって、前記モータの正回転時に解放し、逆回転時に締結するワンウェイクラッチと、
を備えている自動変速機。
【請求項２】
請求項１に記載の自動変速機において、
前記第１シャフトの回転が停止した後、前記モータを駆動し、前記第１シャフトを逆回転駆動しながらシフトする変速制御手段を設けてある自動変速機。
【手続補正２】
【補正対象書類名】明細書
【補正対象項目名】０００７
【補正方法】変更
【補正の内容】
【０００７】
上記目的を達成するため、本発明の自動変速機では、入力側の第１シャフトに固定または相対回転可能に支持された第１低速ギヤ及び第１高速ギヤと、出力側の第２シャフトに固定または相対回転可能に支持され前記第１低速ギヤと常時噛み合う第２低速ギヤ及び第１高速ギヤと常時噛み合う第２高速ギヤと、軸方向噛合い側への移動により、前記第１低速ギヤもしくは第２低速ギヤのいずれかである低速側相対回転体のドグと噛合う低速クラッチリングドグを有し、前記低速側相対回転体のドグから前記低速クラッチリングドグにトルクが作用すると軸方向噛合い解除側に移動する低速側ガイド部を有する低速クラッチリングと、軸方向噛合い側への移動により、前記第１高速ギヤもしくは第２高速ギヤのいずれかである高速側相対回転体のドグと噛合う高速クラッチリングドグを有し、前記高速側相対回転体のドグから前記高速クラッチリングドグにトルクが作用すると軸方向噛合い解除側に移動する高速側ガイド部を有する高速クラッチリングと、軸方向噛合い側への移動により前記低速クラッチリング及び前記高速クラッチリングを軸方向噛合い方向に移動可能であって軸方向噛合い解除側への移動を許容するシフトアクチュエータと、前記第１シャフトを駆動可能なモータと、前記第１シャフトと前記モータとの間を断接可能であって、前記モータの正回転時に解放し、逆回転時に締結するワンウェイクラッチと、を備えた。
【国際調査報告】
2016152286.tif 000008
2016152286.tif 000009
2016152286.tif 000010
2016152286.tif 000011